(57)【要約】【課題】座り心地が改善され、かつ使用によるヘタリも少ないポケットコイル付折り畳み座椅子を提供する。【解決手段】座部クッション２３に、５個のポケットコイル５３を椅子幅方向に並べたポケットコイル群５４を前後２列配置したため、使用者の体重を各ポケットコイル５３が点支持して分散する。これにより、長時間座っても疲れにくく、ポケットコイル付折り畳み座椅子１０の座り心地が改善される。また、各ポケットコイル群５４を椅子長さ方向に離間した状態で配列したため、形状が異なる様々な折り畳み座椅子の座部に対して、座り心地が最適となる箇所に、かつ座り心地が最適となる間隔で、各ポケットコイル群５４を配置できる。【選択図】図１
0003214755.tif 000002
【実用新案登録請求の範囲】
【請求項１】
座部の芯材となる座部フレームと背もたれ部の芯材となる背もたれ部フレームとを、背もたれ部角度調節具により多段回動自在に連結した本体フレームと、
前記座部フレームを被覆する座部クッションと、前記背もたれ部フレームを被覆する背もたれ部クッションとを有する本体クッションと、
該本体クッションを被うクッションカバーとを備え、
前記座部クッションには、複数個のポケットコイルを椅子幅方向に並べたポケットコイル群が、椅子長さ方向に離間して複数内蔵されたことを特徴とするポケットコイル付折り畳み座椅子。
【請求項２】
前記座部クッションは、前記クッションカバーの縫製時の絞り込みにより、椅子幅方向に延びる複数条のコブ部に分割され、前記ポケットコイル群は、各前記コブ部に１つずつ内蔵されたことを特徴とする請求項１に記載のポケットコイル付折り畳み座椅子。
【請求項３】
前記隣接するポケットコイル群の椅子長さ方向の離間長さが、３ｃｍ〜２０ｃｍであることを特徴とする請求項１または請求項２に記載のポケットコイル付折り畳み座椅子。
【考案の詳細な説明】
【技術分野】
【０００１】
この考案は、座部にポケットコイルが内蔵されたポケットコイル付折り畳み座椅子に関する。
【背景技術】
【０００２】
一般的な折り畳み座椅子は、例えば、非特許文献１に開示されたもののように、座部側の枠杆と背もたれ部フレームと、背もたれ角度調節装置を介して連結することで、座椅子の骨組みとなる本体フレームを設け、このフレーム全体を、軟質（低反発）ウレタンフォームまたは硬質（高反発）ウレタンフォーム製の本体クッションによって包み込み、さらに、本体クッションの全体をクッションカバーによって被覆した構成を有している。
【先行技術文献】
【特許文献】
【０００３】
【非特許文献１】［平成２９年１１月１４日検索］、インターネット＜URL: https://item.rakuten.co.jp/takamine/kumo-a193/＞
【考案の開示】
【考案が解決しようとする課題】
【０００４】
しかしながら、非特許文献１の折り畳み座椅子によれば、本体クッションの座部（以下、座部クッション）として、軟質ウレタンフォームを採用した場合には、着座時、使用者の体重による座部クッションの座面の沈み込みが大きい。そのため、一見、座り心地がよいように思えるものの、実際は臀部の当接部分がすぐに薄く圧縮されてしまい、その後はまるで床に座っている感覚に近くなり、長時間は同じ姿勢で座れなかった。また、軟質ウレタンフォームは、使用によるヘタリが大きいという別の問題も発生していた。
一方、座部クッションが硬質ウレタンフォームの場合には、前記ヘタリの問題は低減できるものの、初めから座部が硬いため、座り心地という面では十分とは言えなかった。
【０００５】
そこで、この考案は、このような問題点に鑑みなされたもので、座り心地が改善され、かつ使用によるヘタリも少ないポケットコイル付折り畳み座椅子を提供することを目的としている。
【課題を解決するための手段】
【０００６】
請求項１に記載の考案は、座部の芯材となる座部フレームと背もたれ部の芯材となる背もたれ部フレームとを、背もたれ部角度調節具により多段回動自在に連結した本体フレームと、前記座部フレームを被覆する座部クッションと、前記背もたれ部フレームを被覆する背もたれ部クッションとを有する本体クッションと、該本体クッションを被うクッションカバーとを備え、前記座部クッションには、複数個のポケットコイルを椅子幅方向に並べたポケットコイル群が、互いに離間した状態で複数列配置されたことを特徴とするポケットコイル付折り畳み座椅子である。
【０００７】
ポケットコイル付折り畳み座椅子の本体である折り畳み座椅子は、床（畳を含む）に設置される座部の後側に、背もたれ部が多段階に回動（起倒）自在に設けられたリクライニングチェアである。
折り畳み座椅子の長さ（椅子長さ、全長）は限定されない。例えば、８０ｃｍ〜２００ｃｍ、好ましくは１００ｃｍ〜１５０ｃｍである。
折り畳み座椅子の幅（椅子幅）は限定されない。例えば、３０ｃｍ〜１００ｃｍ、好ましくは４０ｃｍ〜８０ｃｍである。
折り畳み座椅子の厚さは、例えば、５ｃｍ〜２０ｃｍ、好ましくは８ｃｍ〜１５ｃｍである。
【０００８】
座部のサイズは限定されない。例えば、座部の長さを３０ｃｍ〜１００ｃｍ、好ましくは５０ｃｍ〜８０ｃｍとしてもよい。
背もたれ部のサイズは限定されない。例えば、背もたれ部の長さを３０ｃｍ〜１００ｃｍ、好ましくは５０ｃｍ〜８０ｃｍとしてもよい。
また、座部の先端に使用者の足を支持する脚部を連結し、背もたれ部の先端に使用者の頭部を支持するヘッド部を連結してもよい。
【０００９】
本体フレームの形状は、折り畳み座椅子の骨組みとしての機能を果たせば任意である。
座部フレーム、背もたれ部フレームの各素材としては、例えば、ステンレス、鉄、アルミニウム合金といった各種の金属パイプを採用することができる。
背もたれ部角度調節具とは、対応する背もたれ部を多段階（２段以上）に回動自在とするための構造体で、例えば、ラチェット式のものなどを採用することができる。
ここでいう“多段回動”とは、水平軸を中心にして、対応する背もたれ部が２〜８０段、好ましくは１０〜６０段、さらに好ましくは３０〜５０段の間欠的な回動を行うことをいう。
【００１０】
本体クッションの素材は限定されない。例えば、軟質ウレタンフォーム、硬質ウレタンフォームなどを採用することができる。
ポケットコイルとは、コイルスプリングが布袋により個装されたものである。
ポケットコイルのサイズは任意である。例えば、直径が５ｃｍ〜２０ｃｍ、長さが３ｃｍ〜３０ｃｍのものなどを採用することができる。
ポケットコイル群とは、複数個のポケットコイルを横一列に並べたものである。ポケットコイル群は、横長な布袋に収納してもよい。
ポケットコイル群を構成するポケットコイルの使用個数は、複数であれば任意である。ポケットコイルのサイズにもよるが、例えば３〜８個、好ましくは５個程度である。
隣接するポケットコイル群の椅子長さ方向の離間長さは、着座時に違和感がなければ任意である。
【００１１】
クッションカバーの素材は任意である。例えば、各種の織布、各種の不織布、各種の編布といった布材（布帛）を採用することができる。その他、ニット素材、ダリアン生地、皮革（天然皮革、合成皮革を含む）、合成樹脂シートでもよい。カバーシートは単層体でも、同一素材または異なる素材を重ね合わせた複層体でもよい。
【００１２】
請求項２に記載の考案は、前記座部クッションは、前記クッションカバーの縫製時の絞り込みにより、椅子幅方向に延びた複数本のコブ部に分割され、前記ポケットコイル群は、各前記コブ部に１つずつ配置されたことを特徴とする請求項１に記載のポケットコイル付折り畳み座椅子である。
【００１３】
コブ部の本数は２本以上であれば任意である。例えば、２本または３本でもよい。
クッションカバーの縫製時の絞り込み方法としては、例えば、ミシンによる各種の絞り縫いを採用することができる。
このコブ部は、座部クッションだけでなく、クッション本体の背もたれ部に該当する背もたれクッションに配設してもよい。
【００１４】
請求項３に記載の考案は、前記隣接するポケットコイル群の椅子長さ方向の離間長さが、３ｃｍ〜２０ｃｍであることを特徴とする請求項１または請求項２に記載のポケットコイル付折り畳み座椅子である。
【００１５】
隣接するポケットコイル群の椅子長さ方向の離間長さが３ｃｍ未満では、隣接するポケットコイル群の間隔が狭すぎて、ポケットコイルの使用個数をさほど減らせない。また、２０ｃｍを超えれば、使用者が子供や女性のときに、着座時、使用者の体重を隣り合うポケットコイル群の各ポケットコイルにより、十分に分散できないおそれがある。隣接するポケットコイル群の椅子長さ方向の好ましい離間長さは、５ｃｍ〜１５ｃｍである。この範囲であれば、ポケットコイルの使用個数を減らして低コスト化が図れるとともに、隣接するポケットコイル群を接触させたときと略同じ使用感が得られ、かつ使用者が子供や女性であっても、着座時の体重を隣接するポケットコイル群の各ポケットコイルによって、良好に分散させることができる。
【考案の効果】
【００１６】
この考案によれば、座部クッションに、複数個のポケットコイルを椅子幅方向に並べたポケットコイル群を複数列配置したため、使用者の体重を各ポケットコイルが点支持して分散する。これにより、長時間座っても疲れにくく、折り畳み座椅子の座り心地が改善される。
また、最も負荷のかかる座部にポケットコイル群を複数列配置したため、各種のウレタンフォームのみを座部クッションに配したものに比べて、高い耐久性が得られる。その結果、使用による座部のヘタリが少ない。
さらに、ここでは多数のポケットコイルを、例えば縦横ブロック状に整列させるのではなく、複数個のポケットコイルを１セットとした複数のポケットコイル群を椅子長さ方向に離間して配置する構成を採用したため、形状が異なる様々な折り畳み座椅子の座部に対して、座り心地が最適となる箇所に、座り心地が最適となる間隔で、各ポケットコイル群を配置することができる。
【００１７】
特に、請求項２に記載の考案によれば、座部クッションは、あらかじめクッションカバーを縫製する際の絞り込みによって、複数のコブ部に絞り込まれた構造を有しているため、この座部クッションには、もともと高いクッション性が付与されている。このような座部クッションにおいては、各コブ部にポケットコイル群を１つずつ収納するだけで、多数個のポケットコイルを座部クッションに隙間なく敷き詰めたときと、ほぼ同等のクッション性を得ることが可能となる。
仮に、座部の絞り込み部分にもポケットコイルを内蔵させた場合には、座椅子のデザイン性の向上などを目的にして形成（加工）されたクッションカバーの絞り込みが、各ポケットコイルのコイルスプリングの弾性力により座部の内方から押し延ばされてしまい、その効果が半減することとなる。
【００１８】
また、請求項３に記載の考案によれば、隣接するポケットコイル群の椅子長さ方向の離間長さを、３ｃｍ〜２０ｃｍとしたため、座部に使用されるポケットコイルの個数を減らして低コスト化が図れるとともに、子供や女性の着座時にも、使用者の体重を隣り合うポケットコイル群の各ポケットコイルにより、十分に分散することができる。
【図面の簡単な説明】
【００１９】
【図１】この考案の実施例１に係るポケットコイル付折り畳み座椅子の一部を切欠した全体斜視図である。
【図２】この考案の実施例１に係るポケットコイル付折り畳み座椅子の一部を構成する座部の要部拡大斜視図である。
【考案を実施するための形態】
【００２０】
以下、この考案の実施例を具体的に説明する。
【実施例】
【００２１】
図１において、１０はこの考案の実施例１に係るポケットコイル付折り畳み座椅子で、このポケットコイル付折畳み座椅子１０は、使用者が着座する座部１１と、座部１１の基端（後端）に連結されて、使用者の背中を支持する背もたれ部１２とを基本構成としている。また、座部１１の先端（前端）には、使用者の主に大腿部を支持する脚部１３が連結され、背もたれ部１２の先端には、使用者の頭部を支持するヘッド部１４が連結されている。
【００２２】
以下、これらの構成体を具体的に説明する。
このポケットコイル付折り畳み座椅子１０は、座部１１の芯材となる座部フレーム１５と背もたれ部１２の芯材となる背もたれ部フレーム１６とを、左右一対の背もたれ部角度調節具１７により多段回動自在に連結し、座部フレーム１５の先端に左右一対の脚部角度調節具１８を介して脚部フレーム１９を多段回動自在に連結し、かつ背もたれ部フレーム１６の先端に、左右一対のヘッド部角度調節具２０を介して、ヘッド部フレーム２１を多段回動自在に連結した本体フレーム２２と、座部フレーム１５を被覆する座部クッション２３と、背もたれ部フレーム１６を被覆する背もたれ部クッション２４と、脚部フレーム１９を被覆する脚部クッション２５と、ヘッド部フレーム２１を被覆するヘッド部クッション２６とを有する本体クッション２７と、本体クッション２７を被うクッションカバー２８とを備えている。
【００２３】
座部フレーム１５および背もたれ部フレーム１６は、それぞれスチールパイプからなる略正方形の枠体である。また、脚部フレーム１９およびヘッド部フレーム２１は、それぞれスチールパイプからなるポケットコイル付折畳み座椅子１０の幅方向に長い（横長な）小型枠体である。
各背もたれ部角度調節具１７は、ラチェット構造を有する２°ピッチで角度調節可能な４２段階式のものである。また、各脚部角度調節具１８および各ヘッド部角度調節具２０は、それぞれギヤ構造を有する６°ピッチで角度調節可能な１４段階式のものである。
【００２４】
背もたれ部クッション２４およびヘッド部クッション２６は、下側軟質ウレタンフォーム層２９と上側軟質ウレタンフォーム層３０との間に、低反発チップウレタンフォーム層３１を挟み込んだ３層構造のものである。なお、低反発チップウレタンフォーム層３１を挟まない２層構造、または、各軟質ウレタンフォーム２９，３０を一体化した１層構造でもよい。
座部クッション２３および脚部クッション２５とは、下側軟質ウレタンフォーム層２９Ａと上側軟質ウレタンフォーム層３０Ａとの間に、低反発チップウレタンフォーム層３１Ａを挟み込んだ３層構造を基本とする。なお、低反発チップウレタンフォーム層３１Ａを挟まない２層構造、または、各軟質ウレタンフォーム２９Ａ，３０Ａを一体化した１層構造でもよい。
【００２５】
なお、これらの下側軟質ウレタンフォーム層２９，２９Ａは、同じ軟質ウレタンフォームにより一体成形されている。一方、上側軟質ウレタンフォーム層３０，３０Ａも、同じ軟質ウレタンフォームにより一体成形されている。さらには、低反発チップウレタンフォーム層３１，３１Ａも、同じ低反発チップウレタンフォームによって一体成形されている。もちろん、これらは別々に設けてもよい。
クッションカバー２８は、本体クッション２７の全体を包み込むニット生地からなる。
また、座部クッション２３と背もたれ部クッション２４とは、クッションカバー２８の縫製時に絞り込み加工を施すことで、椅子幅方向に延びた２条の座部側コブ部５０と、２条の背もたれ部側コブ部５１とにそれぞれ分割されている。
【００２６】
図１および図２に示すように、座部クッション２３の各座部側コブ部５０には、低反発チップウレタンフォーム層３１Ａの外周部を除く略全域に、椅子幅方向に延びた凹部５２がそれぞれ切欠されている。
これらの凹部５２には、直径１０ｃｍ〜１５ｃｍの５個のポケットコイル５３を椅子幅方向に一列に並べたポケットコイル群５４が収納されている。各ポケットコイル５３は、コイルスプリング５５を縦長な小さい布袋５６によって個装したものである。各コイルスプリング５５のばね力により、各座部側コブ部５０の座面は上方へ隆起している。
また、一対のポケットコイル群５４は、５個１セットのポケットコイル５３を、横長な大きい布袋５７にそれぞれ収納したものである。
前後一対のポケットコイル群５４の椅子長さ方向の離間長さａは、１０ｃｍ〜１５ｃｍである。
【００２７】
次に、図１および図２を参照して、この実施例１に係るポケットコイル付折り畳み座椅子１０の使用方法を説明する。
図１および図２に示すように、ポケットコイル付折り畳み座椅子１０の使用時には、使用者の体型やそのときの気分に応じて、各背もたれ部角度調節具１７によって背もたれ部１２を２°ピッチで角度調節する。また同様に、脚部１３およびヘッド部１４を、対応する各脚部角度調節具１８または各ヘッド部角度調節具２０によって、６°ピッチで好みの傾斜角度に調節する。
【００２８】
背もたれ部クッション２４およびヘッド部クッション２６には、各軟質ウレタンフォーム２９，３０の間に、低反発チップウレタンフォーム層３１を挟み込んだ３層構造体を採用している。そのため、背もたれ部１２およびヘッド部１４において、低反発ウレタンフォーム独特の心地良さ（衝撃吸収素材としての体のラインに沿った沈み込み感、圧迫感の軽減など）が得られる。
また、座部クッション２３および脚部クッション２５の基本構造は、上述したように上下２枚の軟質ウレタンフォーム２９Ａ，３０Ａの間に、低反発チップウレタンフォーム層３１Ａを挟み込んだ３層構造である。さらに、座部クッション２３のうち、各座部側コブ部５０の略全体には、５個のポケットコイル５３を横に並べた前後一対のポケットコイル群５４がそれぞれ内蔵されている。
【００２９】
このように、座部クッション２３に、５個のポケットコイル５３を椅子幅方向に並べたポケットコイル群５４を２列配置したため、使用者の体重が、合計１０個のポケットコイル５３により点支持されて分散される。これにより、長時間着座しても疲れにくく、ポケットコイル付折り畳み座椅子１０の座り心地が改善される。
また、最も負荷のかかる座部クッション２３にポケットコイル群５４を前後２列で配置したため、従来の各種のウレタンフォームのみを座部クッションに配したものに比べて、高い耐久性が得られる。その結果、使用による座部１１のヘタリが少なくなる。この座部１１のヘタリを抑制することで、床の上に直接座っているような底付き感を解消することができる。
さらには、多数のポケットコイル５３は、例えば、ベッド用のマットレスのように縦横ブロック状に整列させるのではなく、５個のポケットコイル５３を１セットとした２組のポケットコイル群５４を椅子長さ方向に離間状態で配置するように構成している。そのため、形状が異なる様々な折り畳み座椅子の座部に対して、座り心地が最適となる箇所に、かつ座り心地が最適となる間隔で、各ポケットコイル群５４を配置することができる。
【００３０】
特に、座部クッション２３は、あらかじめクッションカバー２８を縫製する際の絞り込みによって、２条の座部側コブ部５０に絞り込まれた構造を有している。そのため、この絞り込みにより座部クッション２３には、もともと高いクッション性が付与されている。このような座部クッション２３であるため、各座部側コブ部５０には、コブ長さ方向にポケットコイル群５４を１つずつ収納するのみで、上述した多数個のポケットコイル５３を座部クッション２３に隙間なく敷き詰めた場合と、ほぼ同等のクッション性を得ることが可能となる。
【００３１】
仮に、このポケットコイル群５４を座部クッション２３の絞り込み部分にも収納したならば、クッションカバー２８の絞り込みが、各ポケットコイル５３のコイルスプリング５５の弾性力によって座部１１の内方から押し延ばされこととなる。これにより、ポケットコイル付折り畳み座椅子１０のデザイン性を高める絞り込みの効果が半減してしまう。
また、前後一対のポケットコイル群５４の椅子長さ方向の離間長さａを１０ｃｍ〜１５ｃｍとしたため、座部１１に使用されるポケットコイル５３の個数を減らして低コスト化が図れるとともに、子供や女性の着座時にも、使用者の体重を隣り合うポケットコイル群５４の各ポケットコイル５３により、十分に分散することができる。
【産業上の利用可能性】
【００３２】
この考案は、座部にポケットコイルが内蔵されたポケットコイル付折り畳み座椅子の技術として有用である。
【符号の説明】
【００３３】
１０  ポケットコイル付折畳み座椅子
１１  座部
１２  背もたれ部
１５  座部フレーム
１６  背もたれ部フレーム
１７  背もたれ部角度調節具
２２  本体フレーム
２３  座部クッション
２４  背もたれ部クッション
２７  本体クッション
２８  クッションカバー
５０  座部側コブ部（コブ部）
５３  ポケットコイル
５４  ポケットコイル群
ａ  離間長さ
【図１】
0003214755.tif 000003
【図２】
0003214755.tif 000004